【手続補正書】
【提出日】平成19年12月26日(2007.12.26)
【手続補正１】
【補正対象書類名】明細書
【補正対象項目名】発明の名称
【補正方法】変更
【補正の内容】
【発明の名称】記録装置
【手続補正２】
【補正対象書類名】明細書
【補正対象項目名】特許請求の範囲
【補正方法】変更
【補正の内容】
【特許請求の範囲】
【請求項１】  画像読み取り手段により得た画像信号に所定の画像処理を行う画像処理手段と、
該画像処理手段により処理された画像信号に応じた画像を被記録材に記録する記録手段と、
複数種類のパターンを含むテストパターンであって各パターンが異なる周波数の画像信号に対応するテストパターンを発生するテストパターン発生手段とを備え、
前記画像読み取り手段は、前記記録手段を用いて前記被記録材にプリントされた前記テストパターンを読み取って読み取り信号を出力し、
前記読み取り信号に基づき前記画像読み取り手段および前記記録手段の周波数特性を検出する検出手段と、
該検出手段による検出結果に基づき、前記画像処理手段が有するデジタルフィルタ手段に用いられるフィルタ係数を算出する算出手段とを備え、
前記デジタルフィルタ手段は、前記算出手段により算出されたフィルタ係数を用いて前記周波数特性を補正するような帯域通過特性のフィルタ処理を行なう
ことを特徴とする記録装置。
【請求項２】  画像読み取り手段またはホスト装置により得た画像信号に所定の画像処理を行う画像処理手段と、
該画像処理手段により処理された画像信号に応じた画像を被記録材に記録する記録手段と、
複数種類のパターンを含むテストパターンであって各パターンが異なる周波数の画像信号に対応するテストパターンを発生するテストパターン発生手段とを備え、
前記画像読み取り手段は、予め所定パターンがプリントされたテストチャートを読み取って第１の読み取り信号を出力し、および、前記記録手段を用いて前記被記録材にプリントされた前記テストパターンを読み取って第２の読み取り信号を出力し、
前記第１および第２の読み取り信号に基づき前記画像読み取り手段と前記記録手段の周波数特性を独立して検出する検出手段と、
該検出手段による検出結果に基づき、前記画像処理手段が有するデジタルフィルタ手段に用いられるフィルタ係数を算出する算出手段とを備え、
前記デジタルフィルタ手段は、前記算出手段により算出されたフィルタ係数を用いて前記周波数特性を補正するような帯域通過特性のフィルタ処理を行なう
ことを特徴とする記録装置。
【請求項３】  ネットワークを介して他の記録装置に接続される記録装置であって、
画像読み取り手段により得た画像信号に所定の画像処理を行う画像処理手段と、
該画像処理手段により処理された画像信号に応じた画像を被記録材に記録する記録手段と、
複数種類のパターンを含むテストパターンであって各パターンが異なる周波数の画像信号に対応するテストパターンを発生するテストパターン発生手段を備え、
他の画像読み取り手段および他の記録手段を有する前記他の記録装置と画像信号の送受信を行なう手段であって、前記テストパターンを前記他の記録装置に送信し、前記他の画像読み取り手段が、前記他の記録手段を用いて被記録材にプリントされた前記テストパターンを読み取った読み取り信号を受信する通信手段と、
受信した信号に基づき前記他の画像読み取り手段および前記他の記録手段の周波数特性を検出する検出手段と、
該検出手段による検出結果に基づき、前記画像処理手段が有するデジタルフィルタ手段に用いられるフィルタ係数を算出する算出手段とを備え、
前記デジタルフィルタ手段は、前記算出手段により算出されたフィルタ係数を用いて前記周波数特性を補正するような帯域通過特性のフィルタ処理を行なう
ことを特徴とする記録装置。
【請求項４】  ネットワークを介して他の記録装置に接続される記録装置であって、
画像読み取り手段またはホスト装置により得た画像信号に所定の画像処理を行う画像処理手段と、
該画像処理手段により処理された画像信号に応じた画像を被記録材に記録する記録手段と、
複数種類のパターンを含むテストパターンであって各パターンが異なる周波数の画像信号に対応するテストパターンを発生するテストパターン発生手段を備え、
他の画像読み取り手段および他の記録手段を有する前記他の記録装置と画像信号の送受信を行なう手段であって、前記テストパターンを前記他の記録装置に送信し、前記他の画像読み取り手段が、予め所定パターンがプリントされたテストチャートおよび前記他の記録手段を用いて被記録材にプリントされた前記テストパターンを読み取った読み取り信号を受信する通信手段と、
受信した信号に基づき前記他の画像読み取り手段および前記他の記録手段の周波数特性を独立して検出する検出手段と、
該検出手段による検出結果に基づき、前記画像処理手段が有するデジタルフィルタ手段に用いられるフィルタ係数を算出する算出手段とを備え、
前記デジタルフィルタ手段は、前記算出手段により算出されたフィルタ係数を用いて前記周波数特性を補正するような帯域通過特性のフィルタ処理を行なう
ことを特徴とする記録装置。
【請求項５】  請求項１〜４のいずれかに記載の記録装置において、
前記テストパターン発生手段は、前記画像読み取り手段の主走査方向に繰り返し周波数が異なる複数の繰り返しパターンと、前記画像読み取り手段の副走査方向に繰り返し周波数が異なる複数の繰り返しパターンを発生させることを特徴とする記録装置。
【請求項６】  請求項２または４に記載の記録装置において、
前記テストチャートは、前記画像読み取り手段の主走査方向に繰り返し周波数が異なる複数の繰り返しパターンと、前記画像読み取り手段の副走査方向に繰り返し周波数が異なる複数の繰り返しパターンを予めプリントされていることを特徴とする記録装置。
【手続補正３】
【補正対象書類名】明細書
【補正対象項目名】０００１
【補正方法】変更
【補正の内容】
【０００１】
【発明の属する技術分野】
本発明は記録装置に関し、詳しくは、デジタルフィルタを備え、画像の入出力によってＭＴＦの劣化を補正する記録装置、また、ネットワークに接続した記録装置同士による、画像の入出力によってＭＴＦの劣化を補正する記録装置に関する。
【手続補正４】
【補正対象書類名】明細書
【補正対象項目名】０００６
【補正方法】変更
【補正の内容】
【０００６】
本発明は上述の観点に基づいてなされたものであり、その目的とするところは、ＭＴＦ特性が変化した場合でも、最適なフィルタ係数を設定し、良好なＭＴＦ補正を行い、記録品位を向上させることが可能な記録装置を提供することにある。
【手続補正５】
【補正対象書類名】明細書
【補正対象項目名】０００７
【補正方法】変更
【補正の内容】
【０００７】
【課題を解決するための手段】
上記の課題を解決するためになされた本発明の一態様は、画像読み取り手段により得た画像信号に所定の画像処理を行う画像処理手段と、該画像処理手段により処理された画像信号に応じた画像を被記録材に記録する記録手段と、複数種類のパターンを含むテストパターンであって各パターンが異なる周波数の画像信号に対応するテストパターンを発生するテストパターン発生手段とを備え、前記画像読み取り手段は、前記記録手段を用いて前記被記録材にプリントされた前記テストパターンを読み取って読み取り信号を出力し、前記読み取り信号に基づき前記画像読み取り手段および前記記録手段の周波数特性を検出する検出手段と、該検出手段による検出結果に基づき、前記画像処理手段が有するデジタルフィルタ手段に用いられるフィルタ係数を算出する算出手段とを備え、前記デジタルフィルタ手段は、前記算出手段により算出されたフィルタ係数を用いて前記周波数特性を補正するような帯域通過特性のフィルタ処理を行なうことを特徴とする。
【手続補正６】
【補正対象書類名】明細書
【補正対象項目名】０００８
【補正方法】変更
【補正の内容】
【０００８】
本発明の別の態様は、画像読み取り手段またはホスト装置により得た画像信号に所定の画像処理を行う画像処理手段と、該画像処理手段により処理された画像信号に応じた画像を被記録材に記録する記録手段と、複数種類のパターンを含むテストパターンであって各パターンが異なる周波数の画像信号に対応するテストパターンを発生するテストパターン発生手段とを備え、前記画像読み取り手段は、予め所定パターンがプリントされたテストチャートを読み取って第１の読み取り信号を出力し、および、前記記録手段を用いて前記被記録材にプリントされた前記テストパターンを読み取って第２の読み取り信号を出力し、前記第１および第２の読み取り信号に基づき前記画像読み取り手段と前記記録手段の周波数特性を独立して検出する検出手段と、該検出手段による検出結果に基づき、前記画像処理手段が有するデジタルフィルタ手段に用いられるフィルタ係数を算出する算出手段とを備え、前記デジタルフィルタ手段は、前記算出手段により算出されたフィルタ係数を用いて前記周波数特性を補正するような帯域通過特性のフィルタ処理を行なうことを特徴とする。
【手続補正７】
【補正対象書類名】明細書
【補正対象項目名】０００９
【補正方法】変更
【補正の内容】
【０００９】
本発明のさらに別の態様は、ネットワークを介して他の記録装置に接続される記録装置であって、画像読み取り手段により得た画像信号に所定の画像処理を行う画像処理手段と、該画像処理手段により処理された画像信号に応じた画像を被記録材に記録する記録手段と、複数種類のパターンを含むテストパターンであって各パターンが異なる周波数の画像信号に対応するテストパターンを発生するテストパターン発生手段を備え、他の画像読み取り手段および他の記録手段を有する前記他の記録装置と画像信号の送受信を行なう手段であって、前記テストパターンを前記他の記録装置に送信し、前記他の画像読み取り手段が、前記他の記録手段を用いて被記録材にプリントされた前記テストパターンを読み取った読み取り信号を受信する通信手段と、受信した信号に基づき前記他の画像読み取り手段および前記他の記録手段の周波数特性を検出する検出手段と、該検出手段による検出結果に基づき、前記画像処理手段が有するデジタルフィルタ手段に用いられるフィルタ係数を算出する算出手段とを備え、前記デジタルフィルタ手段は、前記算出手段により算出されたフィルタ係数を用いて前記周波数特性を補正するような帯域通過特性のフィルタ処理を行なうことを特徴とする。
【手続補正８】
【補正対象書類名】明細書
【補正対象項目名】００１０
【補正方法】変更
【補正の内容】
【００１０】
本発明のさらに別の態様は、ネットワークを介して他の記録装置に接続される記録装置であって、画像読み取り手段またはホスト装置により得た画像信号に所定の画像処理を行う画像処理手段と、該画像処理手段により処理された画像信号に応じた画像を被記録材に記録する記録手段と、複数種類のパターンを含むテストパターンであって各パターンが異なる周波数の画像信号に対応するテストパターンを発生するテストパターン発生手段を備え、他の画像読み取り手段および他の記録手段を有する前記他の記録装置と画像信号の送受信を行なう手段であって、前記テストパターンを前記他の記録装置に送信し、前記他の画像読み取り手段が、予め所定パターンがプリントされたテストチャートおよび前記他の記録手段を用いて被記録材にプリントされた前記テストパターンを読み取った読み取り信号を受信する通信手段と、受信した信号に基づき前記他の画像読み取り手段および前記他の記録手段の周波数特性を独立して検出する検出手段と、該検出手段による検出結果に基づき、前記画像処理手段が有するデジタルフィルタ手段に用いられるフィルタ係数を算出する算出手段とを備え、前記デジタルフィルタ手段は、前記算出手段により算出されたフィルタ係数を用いて前記周波数特性を補正するような帯域通過特性のフィルタ処理を行なうことを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００８８
【補正方法】変更
【補正の内容】
【００８８】
【発明の効果】
以上説明したように本発明に係る記録装置によれば、読み取り手段及び記録手段のＭＴＦ特性を判定し、それらを組み合わせてフィルタ係数を算出し、この係数を用いてデジタルフィルタによるフィルタ処理を施すことにより、記録手段のプロセス条件の変化や固体差によるＭＴＦ劣化を良好に補正することが出来、また、ネットワークを介してつながっている他の記録装置等に対しても、それぞれの特性に応じたＭＴＦ補正、すなわち、個体差を考慮した補正を行うことが出来るため、記録品位を向上させることが可能となる。